(57)【要約】【課題】ポンプ負荷を抑制することができる作動ガス循環型エンジンを提供する。【解決手段】燃焼室ＣＣと、循環経路２０と、循環経路２０に設けられ排気ガス中に含まれる水蒸気を凝縮して凝縮水とする凝縮手段６０と、凝縮水を内部空間部に貯留可能な凝縮水貯留手段６５と、凝縮水貯留手段６５内の凝縮水を排出部８１を介して排出可能であると共に当該排出部８１を開閉手段８２により開閉可能な凝縮水排出手段８０と、凝縮水貯留手段６５内の凝縮水をポンプ９２により圧送して循環経路２０の内部に供給可能な凝縮水供給手段９０と、凝縮水排出手段８０及び凝縮水供給手段９０を制御し、凝縮水貯留手段６５内の凝縮水をポンプ９２により圧送して循環経路２０の内部に供給する場合に開閉手段８２により排出部８１を閉鎖した状態とする制御手段７２とを備える。【選択図】図１
2010216454.tif 000002
【特許請求の範囲】
【請求項１】
酸化剤と、当該酸化剤との燃焼により水蒸気を生成する燃料と、空気より比熱比の高い作動ガスとが供給され、前記燃料の燃焼に伴って前記作動ガスが膨張可能であると共に前記燃料の燃焼後の排気ガスとして前記水蒸気と前記作動ガスとを排気可能な燃焼室と、
前記排気ガス中に含まれる前記作動ガスを前記燃焼室の排気側から吸気側に循環させ再び前記燃焼室に供給可能な循環経路と、
前記循環経路に設けられ前記排気ガス中に含まれる前記水蒸気を凝縮して凝縮水とする凝縮手段と、
前記凝縮水を内部空間部に貯留可能な凝縮水貯留手段と、
前記凝縮水貯留手段内の前記凝縮水を排出部を介して排出可能であると共に当該排出部を開閉手段により開閉可能な凝縮水排出手段と、
前記凝縮水貯留手段内の前記凝縮水をポンプにより圧送して前記循環経路の内部に供給可能な凝縮水供給手段と、
前記凝縮水排出手段及び前記凝縮水供給手段を制御し、前記凝縮水貯留手段内の前記凝縮水を前記ポンプにより圧送して前記循環経路の内部に供給する場合に前記開閉手段により前記排出部を閉鎖した状態とする制御手段とを備えることを特徴とする、
作動ガス循環型エンジン。
【請求項２】
前記凝縮水供給手段は、前記燃焼室を基準として前記循環経路を循環するガスの循環方向に対して前記凝縮手段より上流側の前記循環経路の内部に前記凝縮水を供給可能であり、
前記制御手段は、前記凝縮手段に導入されるガスの温度に応じて前記凝縮水供給手段を制御する、
請求項１に記載の作動ガス循環型エンジン。
【発明の詳細な説明】
【技術分野】
【０００１】
本発明は、作動ガス循環型エンジンに関し、特に排気ガス中に含まれる作動ガスを燃焼室の排気側から吸気側に循環させ再び燃焼室に供給可能な作動ガス循環型エンジンに関するものである。
【背景技術】
【０００２】
従来のエンジンとして、排気ガス中に含まれる作動ガスを燃焼室の排気側から吸気側に循環させ再び燃焼室に供給可能な、いわゆる、閉サイクルエンジンである作動ガス循環型エンジンが知られている。このような作動ガス循環型エンジンは、酸化剤としての酸素と、燃料としての水素と、空気より比熱比の高い作動ガスとが供給される燃焼室と、作動ガスを燃焼室の排気側から吸気側に循環させ再び燃焼室に供給可能な循環経路とを備え、燃焼室にて水素の燃焼に伴って作動ガスが熱膨張することで動力を発生させると共に、基本的にはこの作動ガスが大気へと放出されることなく循環経路を介して再び燃焼室に供給される。
【０００３】
従来の作動ガス循環型エンジンとしては、例えば、下記の特許文献１に開示された水素エンジンが知られている。特許文献１に記載されている水素エンジンは、燃焼室に酸素と、水素とが供給されると共に、熱効率を高めるべく作動ガスとして、例えば、単原子ガスからなり空気より比熱比が大きいアルゴンが循環されている。この作動ガス循環型エンジンは、燃焼室内での水素の燃焼によってアルゴンを熱膨張させ、これによりピストンを押し下げて動力を発生させる。
【先行技術文献】
【特許文献】
【０００４】
【特許文献１】特開平１１−９３６８１号公報
【発明の概要】
【発明が解決しようとする課題】
【０００５】
ところで、上述のような特許文献１に記載されている水素エンジンでは、例えば、燃焼室内では水素の燃焼に伴って水素と酸素とが反応（結合）することで水蒸気が発生するので、循環経路には燃焼室からの排気ガスとして、アルゴンと共に水蒸気が排出される。このため、従来の水素エンジン（作動ガス循環型エンジン）は、３原子からなる分子（３原子分子）でありアルゴンよりも比熱比が小さい水蒸気を液化させ凝縮水として取り除く凝縮器を循環経路上に配設し、作動ガスとしてのアルゴンが循環して再び燃焼室に供給されるように構成することで、熱効率の低下を抑制している。そして、このような従来の水素エンジン（作動ガス循環型エンジン）では、例えば、凝縮器で凝縮された凝縮水を貯留タンクに貯留した後に系外に排出すると共に、貯留タンクに貯留された凝縮水の一部をポンプにより圧送し循環経路内に噴射することで、凝縮器に導入される排気ガスを冷却することがあるが、この場合に凝縮水を圧送するポンプのポンプ負荷の抑制が望まれていた。
【０００６】
そこで本発明は、ポンプ負荷を抑制することができる作動ガス循環型エンジンを提供することを目的とする。
【課題を解決するための手段】
【０００７】
上記目的を達成するために、本発明による作動ガス循環型エンジンは、酸化剤と、当該酸化剤との燃焼により水蒸気を生成する燃料と、空気より比熱比の高い作動ガスとが供給され、前記燃料の燃焼に伴って前記作動ガスが膨張可能であると共に前記燃料の燃焼後の排気ガスとして前記水蒸気と前記作動ガスとを排気可能な燃焼室と、前記排気ガス中に含まれる前記作動ガスを前記燃焼室の排気側から吸気側に循環させ再び前記燃焼室に供給可能な循環経路と、前記循環経路に設けられ前記排気ガス中に含まれる前記水蒸気を凝縮して凝縮水とする凝縮手段と、前記凝縮水を内部空間部に貯留可能な凝縮水貯留手段と、前記凝縮水貯留手段内の前記凝縮水を排出部を介して排出可能であると共に当該排出部を開閉手段により開閉可能な凝縮水排出手段と、前記凝縮水貯留手段内の前記凝縮水をポンプにより圧送して前記循環経路の内部に供給可能な凝縮水供給手段と、前記凝縮水排出手段及び前記凝縮水供給手段を制御し、前記凝縮水貯留手段内の前記凝縮水を前記ポンプにより圧送して前記循環経路の内部に供給する場合に前記開閉手段により前記排出部を閉鎖した状態とする制御手段とを備えることを特徴とする。
【０００８】
また、上記作動ガス循環型エンジンにおいて、前記凝縮水供給手段は、前記燃焼室を基準として前記循環経路を循環するガスの循環方向に対して前記凝縮手段より上流側の前記循環経路の内部に前記凝縮水を供給可能であり、前記制御手段は、前記凝縮手段に導入されるガスの温度に応じて前記凝縮水供給手段を制御するように構成してもよい。
【発明の効果】
【０００９】
本発明に係る作動ガス循環型エンジンによれば、ポンプ負荷を抑制することができる。
【図面の簡単な説明】
【００１０】
【図１】図１は、本発明の実施形態に係る作動ガス循環型エンジンの模式的な概略構成図である。
【図２】図２は、本発明の実施形態に係る作動ガス循環型エンジンの凝縮水供給制御を説明するフローチャートである。
【発明を実施するための形態】
【００１１】
以下に、本発明に係る作動ガス循環型エンジンの実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１２】
（実施形態）
図１は、本発明の実施形態に係る作動ガス循環型エンジンの模式的な概略構成図、図２は、本発明の実施形態に係る作動ガス循環型エンジンの凝縮水供給制御を説明するフローチャートである。
【００１３】
本実施形態の作動ガス循環型エンジン１は、図１に示すように、酸化剤としての酸素（Ｏ２）、燃料としての水素（Ｈ２）及び空気より比熱比の高く、水素の燃焼に伴って動力を発生させる作動ガス、ここではアルゴン（Ａｒ）が供給される燃焼室ＣＣと、この燃焼室ＣＣの吸気側と排気側とを繋ぐ循環経路２０とを備え、作動ガスが大気へと放出されることなく循環経路２０を介して再び燃焼室ＣＣに供給されるよう構成した、いわゆる閉サイクルエンジンである。この作動ガス循環型エンジン１は、燃焼室ＣＣ内で水素を燃焼させ、この水素の燃焼に伴って作動ガスを熱膨張させて動力を発生させるものである。つまり、作動ガスは、燃焼室ＣＣにおいて、酸化剤供給装置３０から供給される酸素と燃料供給装置４０から供給される水素との反応に伴って発生する反応熱、すなわち、水素の燃焼（発熱反応）に伴って発生する燃焼熱により膨張する。
【００１４】
なお、本実施形態の作動ガス循環型エンジン１は、複数、例えば４つの燃焼室（気筒）ＣＣを備える多気筒型の作動ガス循環型エンジンであるが、図１では、作動ガス循環型エンジン１のエンジン本体１０は、１気筒のみを図示している。
【００１５】
この作動ガス循環型エンジン１は、図１に示すように、燃焼室ＣＣが形成されるエンジン本体１０と、燃焼室ＣＣの吸気側と排気側とを繋ぐ循環経路２０と、燃焼室ＣＣに酸化剤としての酸素を供給する酸化剤供給装置３０と、燃焼室ＣＣに燃料としての水素を供給する燃料供給装置４０と、作動ガス循環型エンジン１の各部を制御する電子制御装置（ＥＣＵ）５０とを備える。エンジン本体１０の燃焼室ＣＣと循環経路２０とは、ともに作動ガスが充填されており、作動ガスは、燃焼室ＣＣと循環経路２０との間で循環する。
【００１６】
本実施形態の燃焼室ＣＣは、エンジン本体１０に形成される。このエンジン本体１０の燃焼室ＣＣは、上述したように、酸化剤と、この酸化剤との燃焼により水蒸気を生成する燃料と、作動ガスとが供給され、燃料の燃焼に伴って作動ガスが膨張可能であると共に燃料の燃焼後の排気ガスとして水蒸気と作動ガスとを排気可能なものである。
【００１７】
具体的には、エンジン本体１０は、複数の燃焼室ＣＣを形成するシリンダヘッド１１、シリンダブロック１２及びピストン１３を備えている。ピストン１３は、複数の燃焼室ＣＣに対応して複数設けられている。各ピストン１３は、コネクティングロッド１４を介してクランクシャフト１９に連結し、シリンダヘッド１１の下面の凹部１１ａとシリンダブロック１２のシリンダボア１２ａとの間に区画される空間内に往復運動可能に配置される。各燃焼室ＣＣは、シリンダヘッド１１の凹部１１ａの壁面とシリンダボア１２ａの壁面とピストン１３の頂面１３ａとで囲まれた空間によって構成される。
【００１８】
エンジン本体１０は、シリンダヘッド１１に吸気ポート１１ｂ及び排気ポート１１ｃが形成されている。吸気ポート１１ｂと排気ポート１１ｃとは、ともに循環経路２０の一部をなすものである。吸気ポート１１ｂ、排気ポート１１ｃは、各燃焼室ＣＣに対応して複数設けられている。各吸気ポート１１ｂ、排気ポート１１ｃは、それぞれ一端が燃焼室ＣＣ内に開口している。エンジン本体１０は、各吸気ポート１１ｂの燃焼室ＣＣ側の開口部分にそれぞれ吸気バルブ１５が配設されている。吸気バルブ１５は、開弁時にこの吸気ポート１１ｂの燃焼室ＣＣ側の開口を開く一方、閉弁時にこの吸気ポート１１ｂの燃焼室ＣＣ側の開口を閉じるものである。エンジン本体１０は、各排気ポート１１ｃの燃焼室ＣＣ側の開口部分にそれぞれ排気バルブ１６が配設されている。排気バルブ１６は、開弁時にこの排気ポート１１ｃの燃焼室ＣＣ側の開口を開く一方、閉弁時にこの排気ポート１１ｃの燃焼室ＣＣ側の開口を閉じるものである。
【００１９】
吸気バルブ１５や排気バルブ１６としては、例えば、不図示のカムシャフトの回転と弾性部材（弦巻バネ）の弾発力に伴って開閉駆動されるものがある。この種の吸気バルブ１５や排気バルブ１６においては、そのカムシャフトとクランクシャフト１９の間にチェーンやスプロケット等からなる動力伝達機構を介在させることによってそのカムシャフトをクランクシャフト１９の回転に連動させ、予め設定された開閉時期に開閉駆動させる。また、このエンジン本体１０は、吸気バルブ１５と排気バルブ１６の開閉時期やリフト量を変更可能な、いわゆる可変バルブタイミング＆リフト機構等の可変バルブ機構を備えていてもよく、これにより、その吸気バルブ１５や排気バルブ１６の開閉時期やリフト量を運転条件に応じた好適なものへと変更できるようになる。さらにまた、このエンジン本体１０は、このような可変バルブ機構と同様の作用効果を得るべく、電磁力を利用して吸気バルブ１５や排気バルブ１６を開閉駆動させる、いわゆる電磁駆動弁を適用してもよい。
【００２０】
また、エンジン本体１０は、各吸気ポート１１ｂの燃焼室ＣＣ側とは反対側の開口に吸気管１７が接続される一方、各排気ポート１１ｃの燃焼室ＣＣ側とは反対側の開口に排気管１８が接続されている。吸気管１７と排気管１８とは、ともに循環経路２０の一部をなすものである。吸気管１７は、筒状に形成され内部を流体が通過可能なものであり、後述するように各燃焼室ＣＣに作動ガスとしてのアルゴン（Ａｒ）と、酸化剤としての酸素（Ｏ２）とを供給するための吸気通路である。つまり、各燃焼室ＣＣは、各吸気バルブ１５の開弁時に、この吸気管１７から吸気ポート１１ｂを介して酸素と作動ガスとが供給（吸気）される。一方、排気管１８は、筒状に形成され内部を流体が通過可能なものであり、後述するように燃料としての水素（Ｈ２）の燃焼後の排気ガスとして、燃焼室ＣＣから作動ガスとしてのアルゴン（Ａｒ）と、水蒸気（Ｈ２Ｏ）とを排出するための排気通路である。つまり、燃焼室ＣＣは、排気バルブ１６の開弁時に、燃料の燃焼後の排気ガスとして、排気ポート１１ｃを介して水蒸気と作動ガスとを排気管１８に排気する。
【００２１】
吸気管１７は、例えば、各燃焼室ＣＣに向かって流れる作動ガスなどの流体を吸気集合管部（主吸気管）から各吸気分岐管部（吸気マニホールド）に分岐させ、各吸気ポート１１ｂを介して各燃焼室ＣＣに導入する。排気管１８は、例えば、各燃焼室ＣＣから流れ出る作動ガスなどの流体を各排気ポート１１ｃを介して各排気分岐管部（排気マニホールド）に流出させ、排気集合管部（主排気管）で集合させて循環方向下流側に向かって流動させる。
【００２２】
循環経路２０は、排気管１８に排気された排気ガス中に含まれる作動ガスを燃焼室ＣＣの排気側から吸気側に循環させ再び燃焼室ＣＣに供給可能なものである。循環経路２０は、上述した吸気ポート１１ｂ及び排気ポート１１ｃと、吸気ポート１１ｂの他端と排気ポート１１ｃの他端とを繋ぐ循環通路２１とを含んで構成される。これにより、この循環経路２０内と燃焼室ＣＣ内とは、基本的には閉塞された空間をなす。循環通路２１は、筒状に形成され内部を流体が通過可能なものであり、上述の吸気管１７と排気管１８とは、この循環通路２１の一部をなす。
【００２３】
この作動ガス循環型エンジン１は、循環経路２０と燃焼室ＣＣとからなる閉塞された空間内に作動ガスが充填される。作動ガス循環型エンジン１は、この作動ガスを循環経路２０の吸気管１７、吸気ポート１１ｂから燃焼室ＣＣ内、燃焼室ＣＣ内から循環経路２０の排気ポート１１ｃ、排気管１８、そして、この排気ポート１１ｃ、排気管１８から循環通路２１を介して再び吸気管１７、吸気ポート１１ｂへと循環させる。作動ガス循環型エンジン１は、循環経路２０において、作動ガスが吸気管１７、吸気ポート１１ｂ、燃焼室ＣＣ、排気ポート１１ｃ、排気管１８を順に介して循環通路２１を通って再び吸気管１７、吸気ポート１１ｂ、燃焼室ＣＣへと循環する。つまり、循環経路２０は、燃焼室ＣＣの吸気側（吸気ポート１１ｂ側）と排気側（排気ポート１１ｃ側）とを燃焼室ＣＣの外部で接続し、基本的には作動ガスを大気へと放出することなく再び燃焼室ＣＣに供給する。さらに言えば、循環経路２０は、両端が燃焼室ＣＣに連通すると共に一端からは水蒸気と作動ガスとを含む排気ガスが燃焼室ＣＣから流入し、他端からは燃焼室ＣＣが吸気する酸素と作動ガスとが燃焼室ＣＣに対して流出可能である。ここでは、作動ガス循環型エンジン１は、吸気バルブ１５が開弁した際に、循環経路２０内の酸素、作動ガスが吸気ポート１１ｂを介して燃焼室ＣＣに供給される。また、作動ガス循環型エンジン１は、排気バルブ１６が開弁した際に、燃焼室ＣＣ内の排気ガスが排気ポート１１ｃに排出される。
【００２４】
さらに具体的には、循環経路２０の循環通路２１は、例えば、第１循環通路２１ａと、第２循環通路２１ｂとを含んで構成されている。第１循環通路２１ａは、吸気ポート１１ｂの他端（燃焼室ＣＣ内に開口している端部とは反対側の端部）と後述する凝縮手段としての凝縮器６０の作動ガス排出口６０ｂとを繋ぐものである。また、第２循環通路２１ｂは、排気ポート１１ｃの他端（燃焼室ＣＣ内に開口している端部とは反対側の端部）と凝縮器６０の排気ガス導入口６０ａとを繋ぐものである。上述の吸気管１７は、第１循環通路２１ａの一部をなす一方、排気管１８は、第２循環通路２１ｂの一部をなす。
【００２５】
ここで、循環経路２０と燃焼室ＣＣとからなる閉塞された空間内に充填される作動ガスとしては、空気より比熱比の高いガスが用いられる。作動ガスは、例えば、単原子ガスが用いられる。ここでは、本実施形態の作動ガスは、空気よりも比熱比の高いものであって、例えば、単原子ガスであるアルゴン（Ａｒ）やヘリウム（Ｈｅ）等の希ガスが用いられる。本実施形態では、作動ガスは、上述のようにアルゴン（Ａｒ）を用いるものとして説明する。
【００２６】
酸化剤供給手段としての酸化剤供給装置３０は、酸化剤としての酸素を供給するものである。本実施形態の酸化剤供給装置３０は、酸化剤としての酸素を循環経路２０、ここでは吸気管１７、吸気ポート１１ｂを介して燃焼室ＣＣに供給する。酸化剤供給装置３０は、酸化剤貯留タンク３１と、酸化剤噴射弁３２と、酸化剤供給通路３３と、レギュレータ３４と、酸化剤流量計３５と、サージタンク３６とを含んで構成される。
【００２７】
酸化剤貯留タンク３１は、酸化剤を高圧の状態で貯留するものである。酸化剤噴射弁３２は、酸化剤貯留タンク３１に貯留された酸化剤を吸気管１７に噴射し、この吸気管１７、吸気ポート１１ｂを介して酸化剤を燃焼室ＣＣに供給するものである。酸化剤供給通路３３は、酸化剤貯留タンク３１と酸化剤噴射弁３２とを繋ぐものである。レギュレータ３４、酸化剤流量計３５及びサージタンク３６は、この酸化剤供給通路３３上に設けられる。レギュレータ３４と酸化剤流量計３５とサージタンク３６とは、酸化剤供給通路３３における酸化剤の供給方向に対して、上流側（酸化剤貯留タンク３１側）から下流側（酸化剤噴射弁３２側）に向かってレギュレータ３４、酸化剤流量計３５、サージタンク３６の順で設けられている。
【００２８】
ここで、本実施形態の酸化剤噴射弁３２は、酸化剤を吸気管１７の内部に噴射可能なように設けられる。この酸化剤噴射弁３２は、電子制御装置５０によって制御される。本実施形態の酸化剤供給装置３０は、酸化剤噴射弁３２が酸化剤を吸気管１７に噴射することで吸気管１７を通る作動ガスと混ぜ合わせて燃焼室ＣＣに送り込ませることができる。この結果、酸化剤は、吸気バルブ１５の開弁に伴い吸気ポート１１ｂを介して作動ガスと共に燃焼室ＣＣに供給されることになる。なお、この酸化剤噴射弁３２は、酸化剤としての酸素を吸気ポート１１ｂに噴射可能なようにシリンダヘッド１１に設けられていれもよい。つまり、本実施形態の酸化剤供給装置３０は、酸化剤噴射弁３２が酸素を吸気ポート１１ｂに噴射することで吸気ポート１１ｂを通る作動ガスと混ぜ合わせて燃焼室ＣＣに送り込ませる構成であってもよい。
【００２９】
レギュレータ３４は、酸化剤供給通路３３におけるレギュレータ３４よりも下流側（酸化剤流量計３５側）の圧力を電子制御装置５０の指令に従った目標圧力に調整するものである。言い換えれば、このレギュレータ３４は、酸化剤供給通路３３における酸化剤の流量を制御するものである。また、酸化剤流量計３５は、酸化剤供給通路３３における酸化剤の流量を計測する手段であって、レギュレータ３４で調整された酸化剤の流量の計測を行う。この酸化剤流量計３５の計測信号は、電子制御装置５０に送信される。また、サージタンク３６は、酸化剤噴射弁３２による酸化剤の噴射時に酸化剤供給通路３３内に発生する脈動の低減を図るものである。
【００３０】
ここで、この酸化剤供給装置３０が供給する酸化剤としては、上述のように酸素（Ｏ２）が用いられる。つまり、本実施形態の酸化剤貯留タンク３１は、酸化剤としての酸素を例えば７０ＭＰａ程度の高圧で貯留し、酸化剤噴射弁３２は、この高圧の酸素（Ｏ２）を循環通路２１に供給する。
【００３１】
燃料供給手段としての燃料供給装置４０は、燃料としての水素を供給するものである。本実施形態の燃料供給装置４０は、燃料としての水素を燃焼室ＣＣに直接供給する。燃料供給装置４０は、燃料貯留タンク４１と、燃料噴射弁４２と、燃料供給通路４３と、レギュレータ４４と、燃料流量計４５と、サージタンク４６とを含んで構成される。
【００３２】
燃料貯留タンク４１は、燃料を高圧の状態で貯留するものである。燃料噴射弁４２は、燃料貯留タンク４１に貯留された燃料を燃焼室ＣＣに噴射するものである。燃料供給通路４３は、燃料貯留タンク４１と燃料噴射弁４２を繋ぐものである。レギュレータ４４、燃料流量計４５及びサージタンク４６は、この燃料供給通路４３上に設けられる。レギュレータ４４と、燃料流量計４５と、サージタンク４６とは、燃料供給通路４３における燃料の供給方向に対して、上流側（燃料貯留タンク４１側）から下流側（燃料噴射弁４２側）に向かってレギュレータ４４、燃料流量計４５、サージタンク４６の順で設けられている。
【００３３】
ここで、本実施形態の燃料噴射弁４２は、燃料を燃焼室ＣＣ内に直接噴射可能なようにシリンダヘッド１１に設けられる。この燃料噴射弁４２は、電子制御装置５０によって制御される。
【００３４】
レギュレータ４４は、燃料供給通路４３におけるレギュレータ４４よりも下流側（燃料流量計４５及びサージタンク４６側）の圧力を設定圧力に調整するものである。言い換えれば、このレギュレータ４４は、燃料供給通路４３における燃料の流量を制御するものである。また、燃料流量計４５は、燃料供給通路４３における燃料の流量を計測する手段であって、レギュレータ４４で調整された燃料の流量の計測を行う。この燃料流量計４５の計測信号は、電子制御装置５０に送信される。また、サージタンク４６は、燃料噴射弁４２による燃料の噴射時に燃料供給通路４３内に発生する脈動の低減を図るものである。
【００３５】
ここで、この燃料供給装置４０が供給する燃料としては、酸化剤と共に燃焼するものが用いられ、本実施形態では、上述のように水素（Ｈ２）が用いられる。つまり、本実施形態の燃料貯留タンク４１は、燃料としての水素を例えば７０ＭＰａ程度の高圧で貯留し、燃料噴射弁４２は、この高圧の水素を燃焼室ＣＣに直接噴射する。
【００３６】
本実施形態の作動ガス循環型エンジン１は、燃焼室ＣＣ内に水素と酸素を供給し、水素を拡散燃焼させるものとして例示する。すなわち、上記のように構成される作動ガス循環型エンジン１は、燃焼室ＣＣ内に形成された高温の圧縮ガス（酸素（Ｏ２）及びアルゴン（Ａｒ））の中に高圧の水素（Ｈ２）を噴射することにより、この水素の一部が自己着火し、水素と圧縮ガス（酸素）とが拡散混合しながら燃焼する。この燃焼室ＣＣ内での水素の燃焼によって、燃焼室ＣＣの中では、水素と酸素（Ｏ２）が反応して水蒸気（Ｈ２Ｏ）が生成されると共に、比熱比の大きいアルゴン（Ａｒ）が熱膨張を起こす。この結果、この作動ガス循環型エンジン１は、水素の拡散燃焼とアルゴンの熱膨張とによってピストン１３が押し下げられ、これにより動力を発生する。
【００３７】
そして、作動ガス循環型エンジン１は、水素の燃焼とアルゴンの熱膨張とが一通り終わった際（例えば、ピストン１３が下死点近くに位置している際）、排気バルブ１６の開弁に伴って、燃焼室ＣＣ内から水蒸気とアルゴンとを含む排気ガスが排気ポート１１ｃを介して排気管１８に排出される。ここで、排出された排気ガス中のアルゴンは、エンジン本体１０の熱効率を高めるために、循環経路２０を介して燃焼室ＣＣの排気側から吸気側に循環させ再び吸気側から燃焼室ＣＣに供給する必要がある。しかしながら、同時に排出された排気ガス中の水蒸気は、３原子からなる分子（３原子分子）であり、単原子からなるアルゴンよりも比熱比が小さいので、アルゴンと共に燃焼室ＣＣへ循環させてしまうと、エンジン本体１０の熱効率を低下させるおそれがある。このため、この作動ガス循環型エンジン１は、排気ガスの中に含まれる水蒸気を取り除く手段を循環経路２０上に設けている。
【００３８】
具体的には、作動ガス循環型エンジン１は、循環経路２０を流動する排気ガスの中に含まれる水蒸気を取り除く手段として、凝縮手段としての凝縮器６０を備える。さらに、この作動ガス循環型エンジン１は、冷却水循環路６１と、冷却水ポンプ６２と、ラジエータ６３とを備える。
【００３９】
凝縮器６０は、循環経路２０に設けられ排気ガス中に含まれる水蒸気を凝縮して凝縮水（Ｈ２Ｏ）とするものである。凝縮器６０は、循環通路２１上の第２循環通路２１ｂと第１循環通路２１ａとの間に設けられる。つまり、凝縮器６０は、循環経路２０上の酸化剤噴射弁３２よりも排気側に設けられる。また、凝縮器６０は、冷却水循環路６１が内部を通るようにして接続されている。
【００４０】
冷却水循環路６１は、凝縮器６０に熱交換媒体としての冷却水を循環させるものであり、冷却水が流動可能である。この冷却水循環路６１は、閉じられた環状の経路になっており、内部に冷却水が充填されている。
【００４１】
冷却水ポンプ６２は、冷却水循環路６１の経路上に設けられており、冷却水循環路６１の冷却水は、この冷却水ポンプ６２が駆動することで冷却水循環路６１を循環することができる。
【００４２】
ラジエータ６３は、冷却水循環路６１の経路上に設けられており、冷却水循環路６１を循環する冷却水を冷却可能なものである。ラジエータ６３は、この作動ガス循環型エンジン１を搭載する車両の走行風などにより冷却水循環路６１を循環する冷却水を冷却可能である。
【００４３】
したがって、この凝縮器６０は、冷却水循環路６１を循環しラジエータ６３により冷却された冷却水が内部に循環、供給されることで、この冷却水と循環経路２０を流れる排気ガスとを熱交換させ排気ガスを冷却することにより、排気ガスに含まれる水蒸気（Ｈ２Ｏ）を液化、凝縮して凝縮水とし排気ガスから分離する。すなわち、凝縮器６０は、排気ガスをアルゴンと凝縮水とに分離することができる。このとき、凝縮器６０にて循環経路２０の排気ガスと熱交換をすることで熱を吸収し温度が上昇した冷却水は、冷却水循環路６１を循環し再びラジエータ６３を通過する際に放熱することで温度が低下し、すなわち、冷却される。つまり、冷却水循環路６１を循環する冷却水は、凝縮器６０にて吸収した熱をラジエータ６３で放熱する。
【００４４】
そして、凝縮器６０によって分離されたアルゴンは、凝縮器６０の作動ガス排出口６０ｂを介して第１循環通路２１ａに排出される。一方、凝縮器６０によって分離された凝縮水は、凝縮器６０の凝縮水排出口６０ｃを介して凝縮水排出通路６４に排出され凝縮水貯留手段としての貯留タンク６５に排出される。
【００４５】
なお、この凝縮器６０とラジエータ６３とは、例えば、エンジン運転中に想定し得る最も高温の排気ガスが燃焼室ＣＣから排出された際に、その排気ガス中の水蒸気が液化・凝縮される温度にまで排気ガス温度を下げることのできる容量（換言すれば排気ガスの冷却性能）に設定される。
【００４６】
上記のように構成される作動ガス循環型エンジン１は、燃焼室ＣＣ内での水素の燃焼に伴って比熱比の大きいアルゴンが熱膨張を起こすことでピストン１３が押し下げられ、このピストン１３がシリンダボア１２ａ内で往復運動を繰り返すことにより、吸気行程、圧縮行程、燃焼行程、排気行程を１つのサイクルとしてこのサイクルを繰り返す。ピストン１３の往復運動は、コネクティングロッド１４によってクランクシャフト１９に伝達され、コネクティングロッド１４とクランクシャフト１９との作用により往復運動が回転運動に変換され、クランクシャフト１９が回転する。
【００４７】
作動ガス循環型エンジン１は、クランクシャフト１９の回転に伴って吸気バルブ１５や排気バルブ１６が往復運動し、循環経路２０と燃焼室ＣＣとの連通と遮断とを繰り返すことにより、吸排気を行ない上記の４つの行程を繰り返す。
【００４８】
すなわち、作動ガス循環型エンジン１は、吸気行程において、吸気バルブ１５が開弁する一方、排気バルブ１６が閉弁すると共に、ピストン１３が上死点側から下死点側に移動することにより、循環経路２０の吸気管１７、吸気ポート１１ｂを介して燃焼室ＣＣに酸素とアルゴンとが吸気される。
【００４９】
次に、作動ガス循環型エンジン１は、圧縮行程において、吸気バルブ１５が閉弁し吸気バルブ１５と排気バルブ１６の両方が閉弁状態となると共に、ピストン１３が下死点側から上死点側に移動することにより、燃焼室ＣＣ内の酸素、アルゴンが圧縮され温度が上昇する。
【００５０】
次に、作動ガス循環型エンジン１は、燃焼行程において、燃焼室ＣＣ内に形成された高温の圧縮ガス（酸素及びアルゴン）の中に高圧の水素を噴射することにより、この水素の一部が自己着火し、水素と圧縮ガス（酸素）とが拡散混合しながら燃焼する。そして、水素が燃焼すると、これに伴って比熱比の大きいアルゴンが熱膨張を起こし、この水素の拡散燃焼とアルゴンの熱膨張とによってピストン１３が押し下げられ、これにより、作動ガス循環型エンジン１は、動力を発生する。
【００５１】
次に、作動ガス循環型エンジン１は、排気行程において、吸気バルブ１５が閉弁状態を維持する一方、排気バルブ１６が開弁すると共に、ピストン１３が下死点側から上死点側に移動することにより、水蒸気とアルゴンとを含む排気ガスが燃焼室ＣＣ内から循環経路２０の排気ポート１１ｃを介して排気管１８に排出される。
【００５２】
そして、作動ガス循環型エンジン１は、水蒸気とアルゴンとを含む排気ガスが燃焼室ＣＣ内から循環経路２０に排出され、この排気ガスが燃焼室ＣＣに向けて循環経路２０を循環する際には、凝縮器６０にて排気ガス中の水蒸気が液化・凝縮され分離される。これにより、作動ガス循環型エンジン１は、比熱比の小さい水蒸気が燃焼室ＣＣに供給されず、比熱比の大きい作動ガスとしてのアルゴンが燃焼室ＣＣへと再び供給されるので、作動ガスによる熱効率の高い運転を行うことができる。
【００５３】
この間、電子制御装置５０は、クランクシャフト１９の回転位置や、車両の運転席に設けられるアクセルペダル（不図示）の操作量であるアクセル開度、循環ガス中の水素又は酸素の残存量等の運転状態に応じて、酸化剤供給装置３０からの酸化剤としての酸素の供給量、燃料供給装置４０からの燃料としての水素の供給量を制御する。
【００５４】
具体的には、この電子制御装置５０は、クランク角センサ５１、アクセル開度センサ５２、酸素濃度センサ５３、水素濃度センサ５４などの種々のセンサが電気的に接続されている。また、電子制御装置５０は、機能概念的に、酸素供給制御部７０と、水素供給制御部７１とが設けられている。
【００５５】
ここで、電子制御装置５０は、マイクロコンピュータを中心として構成され処理部５０ａ、記憶部５０ｂ及び入出力部５０ｃを有し、これらは互いに接続され、互いに信号の受け渡しが可能になっている。入出力部５０ｃには作動ガス循環型エンジン１を含む車両の各部を駆動する不図示の駆動回路、上述した各種センサが接続されており、この入出力部５０ｃは、これらのセンサ等との間で信号の入出力を行なう。また、記憶部５０ｂには、作動ガス循環型エンジン１の各部を制御するコンピュータプログラムが格納されている。この記憶部５０ｂは、ハードディスク装置や光磁気ディスク装置、またはフラッシュメモリ等の不揮発性のメモリ（ＣＤ−ＲＯＭ等のような読み出しのみが可能な記憶媒体）や、ＲＡＭ（Ｒａｎｄｏｍ  Ａｃｃｅｓｓ  Ｍｅｍｏｒｙ）のような揮発性のメモリ、あるいはこれらの組み合わせにより構成することができる。処理部５０ａは、不図示のメモリ及びＣＰＵ（Ｃｅｎｔｒａｌ  Ｐｒｏｃｅｓｓｉｎｇ  Ｕｎｉｔ）により構成されており、少なくとも上述の酸素供給制御部７０、水素供給制御部７１を有している。電子制御装置５０による各種制御は、各部に設けられたセンサによる検出結果に基づいて、処理部５０ａが前記コンピュータプログラムを当該処理部５０ａに組み込まれたメモリに読み込んで演算し、演算の結果に応じて制御信号を送ることにより実行される。その際に処理部５０ａは、適宜記憶部５０ｂへ演算途中の数値を格納し、また格納した数値を取り出して演算を実行する。なお、この作動ガス循環型エンジン１の各部を制御する場合には、前記コンピュータプログラムの代わりに、電子制御装置５０とは異なる専用のハードウェアによって制御してもよい。
【００５６】
そして、クランク角センサ５１は、作動ガス循環型エンジン１のクランクシャフト１９の回転角度であるクランク角度を検出するものである。クランク角センサ５１は、検出信号を電子制御装置５０に送信する。電子制御装置５０は、例えば、検出されたクランク角度に基づいて各気筒における吸気行程、圧縮行程、膨張行程、排気行程を判別すると共に、作動ガス循環型エンジン１の回転速度としてエンジン回転数（ｒｐｍ）を算出する。なおここで、エンジン回転数は、言い換えれば、クランクシャフト１９の回転速度に対応し、このクランクシャフト１９の回転速度が高くなれば、クランクシャフト１９の回転数であるエンジン回転数も高くなる。
【００５７】
アクセル開度センサ５２は、作動ガス循環型エンジン１を搭載する車両のアクセルペダル（不図示）に設けられており、アクセルペダル（不図示）の操作量に相当するアクセル開度を検出するものである。アクセル開度センサ５２は、検出信号を電子制御装置５０に送信する。なお、このアクセル開度センサ５２が検出するアクセル開度は、運転者がこの作動ガス循環型エンジン１に対して要求する要求エンジン負荷（要求負荷率）に応じた値である。
【００５８】
酸素濃度センサ５３は、循環経路２０を循環する循環ガス中の酸素濃度を検出するものであり、水素濃度センサ５４は、循環経路２０を循環する循環ガス中の水素濃度を検出するものである。酸素濃度センサ５３と水素濃度センサ５４とは、各々検出信号を電子制御装置５０に送信する。
【００５９】
電子制御装置５０は、クランク角センサ５１、アクセル開度センサ５２の検出信号に基づいて、運転者がこの作動ガス循環型エンジン１に要求する要求エンジン負荷（要求負荷率）やエンジン回転数等の運転状態に応じて酸化剤供給装置３０、燃料供給装置４０による酸素、水素の供給量（噴射量）や供給時期（噴射時期）を制御する。運転者がこの作動ガス循環型エンジン１に要求する要求エンジン負荷は、作動ガス循環型エンジン１を搭載する車両のアクセル開度などに基づいて設定される。電子制御装置５０は、例えば、作動ガス循環型エンジン１の要求エンジン負荷（要求負荷率）と現在のエンジン回転数とに基づいて、現在のエンジン回転数において、作動ガス循環型エンジン１に要求された要求エンジン負荷を得ることができる水素、酸素の供給量を決定する。
【００６０】
ここで、燃焼室ＣＣから排出された排気ガスの中には、水蒸気やアルゴンだけでなく、水素又は酸素が含まれていることがある。例えば、酸素に対して水素の燃焼室ＣＣへの供給量の方が所定よりも多いときには、未燃焼の水素が残り、そのまま循環経路２０へと排出される。また、水素に対して酸素の燃焼室ＣＣへの供給量の方が所定よりも多いときには、酸素が残り、そのまま循環経路２０へと排出される。このため、排気ガス中の水素や酸素は、凝縮器６０で排気ガス中の水蒸気が分離された後のアルゴンと共に凝縮器６０の作動ガス排出口６０ｂから第１循環通路２１ａに排出される。したがって、排気ガス中の水素や酸素もアルゴンと同様に循環経路２０を循環し再び燃焼室ＣＣに供給される。
【００６１】
そこで、作動ガス循環型エンジン１は、循環経路２０を排気側から吸気側に循環するガス（循環ガス）中の水素又は酸素の量を検出し、水素又は酸素が燃焼室ＣＣに到達する時期を見計らって、燃料供給装置４０からの水素の供給量又は酸化剤供給装置３０からの酸素の供給量を調節している。これにより、作動ガス循環型エンジン１は、燃焼室ＣＣ内における水素又は酸素の過多を防ぐことができる。
【００６２】
例えば、電子制御装置５０は、酸素濃度センサ５３、水素濃度センサ５４の検出信号に基づいて、循環ガス中の水素、酸素の残存量を把握し、その水素、酸素が燃焼室ＣＣに到達する時期を見計らって、酸化剤供給装置３０、燃料供給装置４０による酸素、水素の供給量を制御する。
【００６３】
酸素供給制御部７０は、酸化剤供給装置３０の駆動を制御するものであり、水素供給制御部７１は、燃料供給装置４０の駆動を制御するものである。酸素供給制御部７０、水素供給制御部７１は、基本的には上述したように、各種センサの検出信号に基づいて、要求エンジン負荷（要求負荷率）、エンジン回転数、循環ガス中の水素、酸素の残存量等の運転状態等の運転状態に応じて、酸化剤供給装置３０、燃料供給装置４０による酸素、水素の供給量（噴射量）や供給時期（噴射時期）を制御する。
【００６４】
ところで、この作動ガス循環型エンジン１は、上述したように、排気ガスを循環ガスとして燃焼室ＣＣに向けて循環させる際に、凝縮器６０において排気ガスの中の水蒸気を取り除く。そして、作動ガス循環型エンジン１は、比熱比の小さい水蒸気を燃焼室ＣＣに供給せず、比熱比の大きい作動ガスとしてのアルゴンを燃焼室ＣＣへ再び供給することで、熱効率の高い運転を行っている。このとき、この作動ガス循環型エンジン１は、凝縮器６０によって分離された凝縮水を凝縮水排出口６０ｃから凝縮水排出通路６４に排出し貯留タンク６５に貯留する。
【００６５】
そして、本実施形態の作動ガス循環型エンジン１は、凝縮器６０で凝縮された凝縮水を貯留タンク６５に貯留した後に、凝縮水排出手段としての排出装置８０により系外に排出すると共に、この貯留タンク６５に貯留された凝縮水の一部を凝縮水供給手段としての凝縮水供給装置９０により循環経路２０内に供給することで、凝縮器６０に導入される前の排気ガスを冷却する場合がある。
【００６６】
ここで、本実施形態の貯留タンク６５は、凝縮水を貯留する内部空間部が閉塞（閉鎖）された空間部となっている。つまり、貯留タンク６５は、基本的には凝縮水を密閉された内部空間に貯留可能である。
【００６７】
排出装置８０は、貯留タンク６５内の凝縮水を排出部としての排出通路８１を介して排出可能であると共にこの排出通路８１を開閉手段としての排出開閉弁８２により開閉可能である。具体的には、この排出装置８０は、排出通路８１と、排出開閉弁８２と、排出逆止弁８３とを有している。
【００６８】
排出通路８１は、貯留タンク６５の内部と外部とを凝縮水が流動可能に接続するものである。排出通路８１は、例えば、通路配管などにより構成される。排出通路８１は、一端が貯留タンク６５の内部に開口し、他端が貯留タンク６５の外部、ここでは循環経路２０の系外である大気に開口する。
【００６９】
排出開閉弁８２は、排出通路８１上に設けられ排出通路８１を開閉可能なものである。排出開閉弁８２は、閉弁状態では排出通路８１を閉鎖し排出通路８１内の凝縮水の流通を遮断する一方、開弁状態では排出通路８１を開放し排出通路８１内の凝縮水の流通を可能とする。この排出開閉弁８２は、電子制御装置５０によって制御される。
【００７０】
排出逆止弁８３は、排出通路８１上に設けられる。排出逆止弁８３は、排出通路８１上の貯留タンク６５と排出開閉弁８２との間に設けられている。排出逆止弁８３は、排出通路８１を貯留タンク６５の外部である大気側から内部側への凝縮水や空気などの流体の流れを防止するものである。つまり、排出逆止弁８３は、排出通路８１において、貯留タンク６５の内部側から外部側への流体の流れを許容する一方、貯留タンク６５の外部側から内部側への流体の流れを規制する。
【００７１】
したがって、この排出装置８０は、排出開閉弁８２が開弁状態となり排出通路８１を開放することで、貯留タンク６５内の凝縮水を排出通路８１を介して系外に排出することができる。一方、この排出装置８０は、排出開閉弁８２が閉弁状態となり排出通路８１を閉鎖することで、貯留タンク６５内と外部（大気）との連通を遮断し、貯留タンク６５内の凝縮水の排出を規制（停止）することができる。
【００７２】
凝縮水供給装置９０は、貯留タンク６５内の凝縮水をポンプとしての凝縮水ポンプ９２により圧送して循環経路２０の内部に供給可能である。具体的には、凝縮水供給装置９０は、凝縮水供給通路９１と、凝縮水ポンプ９２と、凝縮水噴射弁９３とを有している。
【００７３】
凝縮水供給通路９１は、貯留タンク６５の内部と凝縮水噴射弁９３とを凝縮水が流動可能に接続するものである。凝縮水供給通路９１は、例えば、通路配管などにより構成される。凝縮水供給通路９１は、一端が貯留タンク６５の内部に開口し、他端が凝縮水噴射弁９３に接続される。
【００７４】
凝縮水ポンプ９２は、凝縮水供給通路９１上に設けられこの凝縮水供給通路９１を介して貯留タンク６５内の凝縮水を凝縮水噴射弁９３に圧送するものである。凝縮水ポンプ９２は、例えば、エンジン本体１０のクランクシャフト１９の回転に同期して駆動し、吸入した凝縮水を昇圧後に吐出することができる機械式ポンプである。すなわち、凝縮水ポンプ９２は、駆動力を発生するエンジン本体１０のクランクシャフト１９の回転と連動して駆動することで、作動油を加圧可能である。なお、本実施形態の凝縮水ポンプ９２は、駆動源としてエンジン本体１０を用いるものとして説明するが、これに限らず、駆動源としてこの凝縮水ポンプ９２専用の電動機等を用いた電動式ポンプであってもよい。
【００７５】
凝縮水ポンプ９２は、凝縮水供給通路９１において、貯留タンク６５と凝縮水噴射弁９３との間に設けられる。凝縮水ポンプ９２は、密閉された貯留タンク６５内の圧力を昇圧させ、貯留タンク６５内の凝縮水を凝縮水供給通路９１を介して凝縮水噴射弁９３に圧送する。言い換えれば、凝縮水ポンプ９２は、貯留タンク６５内の凝縮水を加圧して昇圧し、凝縮水供給通路９１内を貯留タンク６５側から凝縮水噴射弁９３側に圧送する。凝縮水ポンプ９２は、電子制御装置５０によって制御される。
【００７６】
凝縮水噴射弁９３は、貯留タンク６５内から凝縮水ポンプ９２により凝縮水供給通路９１を介して圧送された凝縮水を循環経路２０内に噴射して供給するものである。凝縮水噴射弁９３は、燃焼室ＣＣを基準として循環経路２０を循環するガスの循環方向に対して凝縮器６０より上流側（排気側）の循環経路２０の内部、ここでは、第２循環通路２１ｂをなす排気管１８の内部に凝縮水を噴射して供給可能なように設けられる。この酸化剤噴射弁３２は、電子制御装置５０によって制御される。
【００７７】
ここで、本実施形態の電子制御装置５０は、さらに排気温度センサ５５が電気的に接続されている。また、この電子制御装置５０は、処理部５０ａに機能概念的にさらに凝縮水供給排出制御部７２が設けられている。
【００７８】
排気温度センサ５５は、燃焼室ＣＣから排気された水素の燃焼後の排気ガスの温度を検出するものである。本実施形態の排気温度センサ５５は、燃焼室ＣＣを基準として循環経路２０を循環するガスの循環方向に対して凝縮水噴射弁９３による凝縮水の噴射位置より下流側（吸気側）、凝縮器６０より上流側（排気側）の検出位置で排気ガスの温度を検出する。排気温度センサ５５は、検出信号を電子制御装置５０に送信する。
【００７９】
凝縮水供給排出制御部７２は、排出装置８０及び凝縮水供給装置９０を制御するものである。さらに具体的に言えば、凝縮水供給排出制御部７２は、排出装置８０の排出開閉弁８２、凝縮水供給装置９０の凝縮水ポンプ９２、凝縮水噴射弁９３の駆動を制御するものである。
【００８０】
凝縮水供給排出制御部７２は、例えば、貯留タンク６５内に貯留される凝縮水の水位などに基づいて、排出装置８０による凝縮水の排出を制御する。さらに言えば、凝縮水供給排出制御部７２は、貯留タンク６５内に貯留される凝縮水の水位などに基づいて、排出開閉弁８２の開閉を制御して凝縮水の排出を制御する。
【００８１】
すなわち、凝縮水供給排出制御部７２は、不図示の水位検出センサが検出した貯留タンク６５内の凝縮水の水位が予め設定された所定水位以上である場合に排出開閉弁８２を開弁状態とし、排出通路８１を開放することで貯留タンク６５内の凝縮水を排出通路８１を介して系外に排出する。また、凝縮水供給排出制御部７２は、不図示の水位検出センサが検出した貯留タンク６５内の凝縮水の水位が予め設定された所定水位未満である場合に排出開閉弁８２を閉弁状態とし、排出通路８１を閉鎖することで貯留タンク６５内と外部（大気）との連通を遮断し、貯留タンク６５内の凝縮水の排出を規制（停止）する。なお、凝縮水供給排出制御部７２は、貯留タンク６５内に貯留される凝縮水の水位に限らず、例えば、貯留タンク６５内の内圧に基づいて、排出装置８０による凝縮水の排出を制御するようにしてもよい。
【００８２】
また、凝縮水供給排出制御部７２は、排気温度センサ５５が検出した水素の燃焼後の排気ガスの温度に基づいて、凝縮水供給装置９０による凝縮水の供給を制御する。さらに言えば、凝縮水供給排出制御部７２は、排気ガスの温度に基づいて、凝縮水ポンプ９２による凝縮水の圧送量や凝縮水噴射弁９３による凝縮水の噴射量、噴射時期を制御して凝縮水の供給を制御する。
【００８３】
すなわち、凝縮水供給排出制御部７２は、例えば、排気温度センサ５５が検出した排気ガスの温度が予め設定された所定温度以上である場合に、凝縮水ポンプ９２を駆動状態とし、凝縮水ポンプ９２により圧送された凝縮水を凝縮水噴射弁９３から噴射し、循環経路２０における凝縮器６０より上流側（排気側）に凝縮水を供給する。さらに言えば、凝縮水供給排出制御部７２は、例えば、排気温度センサ５５が検出した排気ガスの温度に基づいて凝縮水供給装置９０による凝縮水の供給量を調節する。凝縮水供給排出制御部７２は、排気温度センサ５５が検出した排気ガスの温度が相対的に高いほど凝縮水供給装置９０による凝縮水の供給量を相対的に多く設定する一方、排気温度センサ５５が検出した排気ガスの温度が相対的に低いほど供給量を相対的に少なく設定する。
【００８４】
この結果、この作動ガス循環型エンジン１は、凝縮水供給排出制御部７２が凝縮水供給装置９０を制御して排気ガスの温度に応じて貯留タンク６５内の凝縮水を循環経路２０における凝縮器６０より上流側（排気側）に供給することから、凝縮器６０に導入される前の排気ガスをこの凝縮水によって冷却することができる。これにより、この作動ガス循環型エンジン１は、凝縮器６０に導入される前の排気ガスの温度に応じてこの凝縮器６０に導入される前の排気ガスを冷却することができることから、単純な構成で凝縮器６０に導入される前の排気ガスの温度を低下させることができる。よって、この作動ガス循環型エンジン１は、凝縮器６０に導入される前の排気ガスの温度を低下させることができることから、例えば、高負荷運転時などに凝縮器６０に高温の排気ガスが導入されることを防止することができ、凝縮器６０に対する熱負荷が増加することを防止することができ、例えば、凝縮器６０の排気ガス導入口６０ａの近傍の部分などでのヒートショックや熱ひずみなどによる熱変形を確実に防止することができ、耐久性を向上し信頼性を向上することができる。また、作動ガス循環型エンジン１は、例えば、凝縮水が凝縮器６０の外壁などと接触して蒸発し、その水蒸気が意図せず系外に排出されることを防止することができる。
【００８５】
また、この作動ガス循環型エンジン１は、凝縮器６０に導入される前の排気ガスの温度に応じてこの凝縮器６０に導入される前の排気ガスを冷却し、凝縮器６０に導入される前の排気ガスの温度を低下させることができることから、排気ガス中の水蒸気が液化・凝縮される温度にまで排気ガス温度を下げることのできる凝縮器６０、ラジエータ６３の容量を小さくすることができるので、凝縮器６０、ラジエータ６３を小型化することができる。つまり、この作動ガス循環型エンジン１は、凝縮器６０に導入される排気ガスの温度を低下させることができることから、凝縮器６０で冷却水が排気ガスから奪う熱量が少なくてすみ、よって、凝縮器６０、ラジエータ６３の容量を小さくすることができる。言い換えれば、この作動ガス循環型エンジン１は、比較的容量の小さい凝縮器６０、ラジエータ６３によって排気ガスから水蒸気を分離することができ作動ガスの平均比熱比の低下を防止することができることから、作動ガス循環型エンジン１を小型化し搭載性を向上した上で高効率運転を維持することができる。
【００８６】
なお、本実施形態の凝縮水供給排出制御部７２は、例えば、排気温度センサ５５が検出した排気ガスの温度のほかにさらにエンジン負荷、言い換えれば、酸素と水素との燃焼で発生する発熱量やエンジン回転数などに基づいて凝縮水供給装置９０による凝縮水の供給量を調節するようにしてもよい。凝縮水供給排出制御部７２は、凝縮器６０に導入される排気ガスの温度に加えて、例えば、単位時間当たりに凝縮器６０に導入される排気ガスの体積（あるいは質量）などに基づいて、凝縮水供給装置９０による凝縮水の供給量を調節するようにしてもよい。このような作動ガス循環型エンジン１では、例えば、エンジン回転数が増加するほど循環経路２０を循環するガスの流速が高くなることから、単位時間当たりに凝縮器６０に導入される排気ガスの体積（あるいは質量）が増加する。このため、凝縮水供給排出制御部７２は、例えば、単位時間当たりに凝縮器６０に導入される排気ガスの体積（あるいは質量）が増加するほど、すなわち、エンジン回転数が相対的に高くなるほど凝縮水供給装置９０による凝縮水の供給量を相対的に多く設定することで、より確実に凝縮器６０に導入される前の排気ガスを冷却することができ、凝縮器６０に導入される前の排気ガスの温度を低下させることができる。
【００８７】
そして、本実施形態の作動ガス循環型エンジン１は、制御手段としての凝縮水供給排出制御部７２が排出装置８０及び凝縮水供給装置９０の駆動を制御し、貯留タンク６５内の凝縮水を凝縮水ポンプ９２により圧送して循環経路２０の内部に供給する場合に排出開閉弁８２により排出通路８１を閉鎖した状態とすることで、凝縮水ポンプ９２におけるポンプ負荷の抑制を図っている。
【００８８】
すなわち、本実施形態の凝縮水供給排出制御部７２は、凝縮水供給装置９０の凝縮水ポンプ９２により凝縮水を圧送して凝縮水噴射弁９３が第２循環通路２１ｂをなす排気管１８の内部に凝縮水を噴射して供給する場合には、排出開閉弁８２により排出通路８１を閉鎖した状態とし、これにより排出装置８０による凝縮水の排出を禁止する。つまり、凝縮水供給排出制御部７２は、ここでは、排気温度センサ５５が検出した排気ガスの温度が予め設定された所定温度以上である場合に、排出開閉弁８２により排出通路８１を閉鎖した状態とし排出装置８０による凝縮水の排出を禁止した上で、凝縮水ポンプ９２を駆動状態とし、凝縮水ポンプ９２により圧送された凝縮水を凝縮水噴射弁９３から噴射し、循環経路２０における凝縮器６０より上流側（排気側）に凝縮水を供給する。
【００８９】
言い換えれば、凝縮水供給排出制御部７２は、上述したように、凝縮器６０に導入されるガスの温度に応じて凝縮水ポンプ９２を制御していることから、結果的には排出装置８０の排出開閉弁８２も排気ガスの温度に応じて制御されることとなる。つまり、凝縮水供給排出制御部７２は、排気温度センサ５５が検出した排気ガスの温度が予め設定された所定温度以上である場合に、排出開閉弁８２により排出通路８１を閉鎖した状態とする。
【００９０】
この結果、作動ガス循環型エンジン１は、凝縮水供給排出制御部７２が貯留タンク６５内の凝縮水を凝縮水ポンプ９２により圧送して循環経路２０の内部に供給する場合に排出開閉弁８２により排出通路８１を閉鎖した状態とすることで、排出通路８１を閉鎖し貯留タンク６５内と外部（大気）との連通を遮断し、貯留タンク６５内の凝縮水の排出を規制（停止）することができる。これにより、この作動ガス循環型エンジン１は、凝縮水ポンプ９２により貯留タンク６５内の凝縮水を圧送する場合に排出開閉弁８２により排出通路８１を閉鎖した状態とし排出通路８１を閉鎖し貯留タンク６５内と外部（大気）との連通を遮断し、貯留タンク６５内の凝縮水の排出を規制（停止）することで、貯留タンク６５内の圧力が低下することを抑制することができるので、凝縮水ポンプ９２の駆動時にこの凝縮水ポンプ９２の必要出力を抑制することができる。
【００９１】
つまり、作動ガス循環型エンジン１は、凝縮水ポンプ９２を駆動することにより貯留タンク６５内の圧力を昇圧し、貯留タンク６５内の凝縮水を凝縮水供給通路９１を介して凝縮水噴射弁９３に圧送する際に、排出開閉弁８２により排出通路８１を閉鎖した状態とし排出通路８１を閉鎖し貯留タンク６５内と外部（大気）との連通を遮断し、貯留タンク６５内の凝縮水の排出を規制（停止）することで、貯留タンク６５内の圧力が低下することを抑制することができるので、凝縮水ポンプ９２における仕事量を抑制することができ、凝縮水ポンプ９２におけるポンプ負荷（ポンプ駆動損失）を低減することができ、この結果、例えば燃費を向上することができる。作動ガス循環型エンジン１は、例えば、凝縮水ポンプ９２が電動式のポンプである場合には凝縮水ポンプ９２における消費電力を抑制することができる。
【００９２】
次に、図２のフローチャートを参照して本実施形態に係る作動ガス循環型エンジン１の凝縮水供給制御を説明する。なお、この制御ルーチンは、数ｍｓないし数十ｍｓ毎の制御周期で繰り返し実行される。
【００９３】
まず、電子制御装置５０の凝縮水供給排出制御部７２は、排気温度センサ５５により循環経路２０を流れる排気ガスの温度を検出し、この排気温度センサ５５の検出信号に基づいて、排気ガスの温度を取得する（Ｓ１００）。
【００９４】
凝縮水供給排出制御部７２は、Ｓ１００で取得した排気ガスの温度に基づいて、凝縮水供給装置９０による凝縮水の供給、すなわち、凝縮水噴射弁９３による凝縮水の噴射が必要であるか否かを判定する（Ｓ１０２）。凝縮水供給排出制御部７２は、例えば、Ｓ１００で取得した排気ガスの温度と予め設定された所定温度とを比較し、排気ガスの温度が所定温度以上であると判定した場合に、凝縮水供給装置９０の凝縮水噴射弁９３による凝縮水の噴射が必要であると判定する。
【００９５】
凝縮水供給排出制御部７２は、凝縮水供給装置９０の凝縮水噴射弁９３による凝縮水の噴射が必要であると判定した場合（Ｓ１０２：Ｙｅｓ）、すなわち、Ｓ１００で取得した排気ガスの温度が所定温度以上であると判定した場合、Ｓ１００で取得した排気ガスの温度に基づいて、凝縮水供給装置９０の凝縮水噴射弁９３による凝縮水の噴射量を算出する（Ｓ１０４）。凝縮水供給排出制御部７２は、例えば、排気ガスの温度と凝縮水の噴射量との関係を記述した凝縮水噴射量マップ（不図示）やこれに相当する数式などを用いて、Ｓ１００で取得した排気ガスの温度から凝縮水供給装置９０の凝縮水噴射弁９３による凝縮水の噴射量を算出する。
【００９６】
次に、凝縮水供給排出制御部７２は、排出開閉弁８２を閉弁状態とし、この排出開閉弁８２により排出通路８１を閉鎖した状態とし、これにより排出装置８０による凝縮水の排出を禁止する（Ｓ１０６）。ここで、凝縮水供給排出制御部７２は、排出開閉弁８２がもともと閉弁状態であった場合にはこの閉弁状態を継続する。
【００９７】
次に、凝縮水供給排出制御部７２は、Ｓ１０４で算出した噴射量に基づいて、凝縮水供給装置９０の凝縮水ポンプ９２により凝縮水を圧送して凝縮水噴射弁９３が第２循環通路２１ｂをなす排気管１８の内部に凝縮水を噴射して供給し（Ｓ１０８）、現在の制御周期を終了し、次の制御周期に移行する。
【００９８】
凝縮水供給排出制御部７２は、Ｓ１０２において凝縮水供給装置９０の凝縮水噴射弁９３による凝縮水の噴射が必要でないと判定した場合（Ｓ１０２：Ｎｏ）、すなわち、Ｓ１００で取得した排気ガスの温度が所定温度未満であると判定した場合、排出開閉弁８２を開弁状態に設定し、排出装置８０による凝縮水の排出を可能にし、言い換えれば、凝縮水供給装置９０による凝縮水の供給を禁止して、現在の制御周期を終了し、次の制御周期に移行する。ここで、凝縮水供給排出制御部７２は、排出開閉弁８２がもともと開弁状態であった場合にはこの開弁状態を継続する。
【００９９】
以上で説明した本発明の実施形態に係る作動ガス循環型エンジン１によれば、酸化剤としての酸素と、この酸化剤との燃焼により水蒸気を生成する燃料としての水素と、空気より比熱比の高い作動ガスとが供給され、水素の燃焼に伴って作動ガスが膨張可能であると共に水素の燃焼後の排気ガスとして水蒸気と作動ガスとを排気可能な燃焼室ＣＣと、排気ガス中に含まれる作動ガスを燃焼室ＣＣの排気側から吸気側に循環させ再び燃焼室ＣＣに供給可能な循環経路２０と、循環経路２０に設けられ排気ガス中に含まれる水蒸気を凝縮して凝縮水とする凝縮器６０と、凝縮水を内部空間部に貯留可能な貯留タンク６５と、貯留タンク６５内の凝縮水を排出通路８１を介して排出可能であると共にこの排出通路８１を排出開閉弁８２により開閉可能な排出装置８０と、貯留タンク６５内の凝縮水を凝縮水ポンプ９２により圧送して循環経路２０の内部に供給可能な凝縮水供給装置９０と、排出装置８０及び凝縮水供給装置９０を制御し、貯留タンク６５内の凝縮水を凝縮水ポンプ９２により圧送して循環経路２０の内部に供給する場合に排出開閉弁８２により排出通路８１を閉鎖した状態とする凝縮水供給排出制御部７２とを備える。
【０１００】
したがって、作動ガス循環型エンジン１は、凝縮水供給排出制御部７２が貯留タンク６５内の凝縮水を凝縮水ポンプ９２により圧送して循環経路２０の内部に供給する場合に排出開閉弁８２により排出通路８１を閉鎖した状態とすることから、凝縮水ポンプ９２により貯留タンク６５内の凝縮水を圧送する際に、貯留タンク６５内の圧力が低下することを抑制することができるので、凝縮水ポンプ９２におけるポンプ負荷を抑制することができる。
【０１０１】
さらに、以上で説明した本発明の実施形態に係る作動ガス循環型エンジン１によれば、凝縮水供給装置９０は、燃焼室ＣＣを基準として循環経路２０を循環するガスの循環方向に対して凝縮器６０より上流側の循環経路２０の内部に凝縮水を供給可能であり、凝縮水供給排出制御部７２は、凝縮器６０に導入されるガスの温度に応じて凝縮水供給装置９０を制御する。したがって、作動ガス循環型エンジン１は、凝縮水供給排出制御部７２が排気ガスの温度に応じて凝縮水供給装置９０を制御し貯留タンク６５内の凝縮水を循環経路２０における凝縮器６０より上流側（排気側）に供給することから、凝縮器６０に導入される前の排気ガスの温度を低下させることができ、凝縮器６０に高温の排気ガスが導入されることを防止することができる。
【０１０２】
なお、上述した本発明の実施形態に係る作動ガス循環型エンジンは、上述した実施形態に限定されず、特許請求の範囲に記載された範囲で種々の変更が可能である。
【０１０３】
以上の説明では、作動ガス循環型エンジンは、燃料が燃焼室ＣＣ内に直接噴射されるよう燃料噴射弁を設けるものとして説明したが、燃料噴射弁は、燃料を吸気管１７又は吸気ポート１１ｂに噴射させるべくシリンダヘッド１１に取り付けられてもよい。この場合であっても、本発明の作動ガス循環型エンジンは、ポンプにおけるポンプ負荷を抑制することができる。
【０１０４】
以上の説明では、作動ガス循環型エンジンは、酸化剤が吸気管１７又は吸気ポート１１ｂに噴射されるよう酸化剤噴射弁を設けるものとして説明したが、酸化剤噴射弁は、酸化剤を燃焼室ＣＣ内に直接噴射させるべくシリンダヘッド１１に取り付けられてもよい。この場合であっても、本発明の作動ガス循環型エンジンは、ポンプにおけるポンプ負荷を抑制することができる。
【０１０５】
以上の説明では、作動ガス循環型エンジンは、燃料としての水素（Ｈ２）を拡散燃焼させるものとして例示したが、燃料に対して図示しない点火プラグで点火して、いわゆる、火花点火燃焼させる形態のものであってもよく、その燃料に対して点火プラグで点火して着火の補助を行い拡散燃焼させる形態のものであってもよい。つまり、以上で説明した本発明の作動ガス循環型エンジンは、燃焼形態の異なる作動ガス循環型エンジンに適用してもよく、この場合であっても、ポンプにおけるポンプ負荷を抑制することができる。
【０１０６】
以上の説明では、凝縮水供給手段は、燃焼室ＣＣを基準として循環経路２０を循環するガスの循環方向に対して凝縮器６０より上流側（排気側）の循環経路２０の内部に凝縮水を供給するものとして説明したがこれに限らない。
【０１０７】
以上の説明では、排気温度センサ５５は、燃焼室ＣＣを基準として循環経路２０を循環するガスの循環方向に対して凝縮水噴射弁９３による凝縮水の噴射位置より下流側（吸気側）、凝縮器６０より上流側（排気側）の検出位置で排気ガスの温度を検出するものとして説明したがこれに限らない。また、排気ガスの温度は、例えば、燃焼室ＣＣへの水素の供給量などから発熱量を推定し、この発熱量から推定するようにしてもよい。
【産業上の利用可能性】
【０１０８】
以上のように、本発明に係る作動ガス循環型エンジンは、ポンプ負荷を抑制することができるものであり、排気ガス中に含まれる作動ガスを燃焼室の排気側から吸気側に循環させ再び燃焼室に供給可能な種々の作動ガス循環型エンジンに適用して好適である。
【符号の説明】
【０１０９】
１    作動ガス循環型エンジン
１０    エンジン本体
２０    循環経路
３０    酸化剤供給装置
４０    燃料供給装置
５０    電子制御装置
５５    排気温度センサ
６０    凝縮器（凝縮手段）
６５    貯留タンク（凝縮水貯留手段）
７２    凝縮水供給排出制御部（制御手段）
８０    排出装置（凝縮水排出手段）
８１    排出通路（排出部）
８２    排出開閉弁（開閉手段）
８３    排出逆止弁
９０    凝縮水供給装置（凝縮水供給手段）
９１    凝縮水供給通路
９２    凝縮水ポンプ（ポンプ）
９３    凝縮水噴射弁
ＣＣ    燃焼室
【図１】
2010216454.tif 000003
【図２】
2010216454.tif 000004